(57)【要約】【課題】ディスクトレイを排出したときに下部に倒れたり、水平方向に回転したりするのを防ぐとともに、前記ディスクトレイが引き込まれるときに振動するのを防ぎ、ディスクローディングを円滑に行う。【解決手段】メインシャーシ１のクランプ支持部１１には形成されるガイド溝１２が、ディスクトレイ２にはフロント側に傾斜部２５１と、ディスクトレイ２の上面と平行に形成された水平部２５２とを有するガイドリブ２５が形成されており、ディスクトレイ２が一定量排出されている状態で、ガイドリブ２５がガイド溝１２と係合するように形成されている。【選択図】図４
2007141358.tif 000002
【特許請求の範囲】
【請求項１】
光ディスクにレーザ光を照射することで、データの記録、読出を行う光ディスク装置であって、
メインシャーシと、前記光ディスクにレーザ光を照射する光ヘッドと、前記光ディスクを回動するディスク回動装置と、前記メインシャーシ内部に摺動可能に支持され前記光ディスクを載置し前進後退させ、光ディスク装置の正面に形成されている開口部より挿入又は排出される方向に摺動し、前記光ディスクをロード又はアンロードするディスクトレイと、前記メインシャーシに回動可能に支持され、前記光ヘッドを摺動可能に支持するとともに、前記ディスク回動装置を保持するトラバースシャーシと、前記メインシャーシに摺動可能に支持されるとともに前記トレイと係合する昇降カムと、前記メインシャーシに形成され、前記光ディスクを前記ディスク回動装置との間に挟着するクランプを支持するクランプ支持部と、動力源である駆動モータと、前記駆動モータの動力を前記トレイ、前記光ヘッド及び前記昇降カムに伝達するための歯車機構とを有しており、
前記クランプ支持部には前記ディスクトレイが摺動する間隙が形成されており、前記間隙は間隙の上面に前記ディスクトレイの摺動方向に伸びる２個のガイド溝と、前記間隙の両側面より突出するストッパとを備えており、
前記ディスクトレイは、上面の奥側には摺動中心を挟んで配置され、前記ガイド溝の幅よりもわずかに小さな厚みを有し、該ディスクトレイが開口部よりも所定量突出したときに前記ガイド溝と係合する２個のガイドリブと、両側面には該ディスクトレイが開口部より排出され停止するときに前記ストッパと当接する当接部とを備え、
前記ガイド溝は前記ディスクトレイの摺動方向奥側に向かって広がる形状を有する引き込み部を有しており、
前記ガイドリブは前記開口部側が前記ディスクトレイ上面と所定の角度をなす傾斜部と、前記傾斜部と連続し前記ディスクトレイの上面と平行に形成され、前記ガイド溝の上面と当接する水平部とを有し、
前記ディスクトレイの先端部が開口部より一定長さ以上突出し、該ディスクトレイに開口部を中心とする重力によるモーメントがかかる状態で、前記ガイドリブと前記ガイド溝とが係合し、摺動することを特徴とする光ディスク装置。
【請求項２】
光ディスクにレーザ光を照射することで、データの記録、読出を行う光ディスク装置であって、
メインシャーシと、前記メインシャーシ内部に摺動可能に支持され前記光ディスクを載置し前進後退させ、光ディスク装置の正面に形成されている開口部より挿入又は排出し、前記光ディスクをロード又はアンロードするディスクトレイと、前記ケースに回動可能に支持され、前記光ディスクにレーザ光を照射する光ヘッドと、前記光ディスクを回動するディスク回動装置とを保持するトラバースシャーシと、前記メインシャーシに形成され、前記光ディスクを前記ディスク回動装置との間に挟着するクランプを支持するクランプ支持部とを有しており、
前記クランプ支持部には前記ディスクトレイが摺動する間隙が形成されており、前記間隙は内側上面に前記ガイドリブと係合し該ディスクトレイの摺動方向に伸びる１又は複数個のガイド溝と、前記間隙の内側両側面に形成されたストッパとを備えており、
前記ディスクトレイは、上面の奥側には摺動中心を挟んで配置される１又は複数個のガイドリブと、両側面には前記ディスクトレイが排出側で停止するときに前記ストッパと当接する当接部とを備えていることを特徴とする光ディスク装置。
【請求項３】
前記ディスクトレイの先端部が前記開口部より一定量以上排出されているときに前記ガイドリブと前記ガイド溝とが係合することを特徴とする請求項３に記載の光ディスク装置。
【請求項４】
前記ガイドリブは前記開口側に前記ディスクトレイの上面に対し所定の角度をなす傾斜面を有する傾斜部と、該ディスクトレイの上面と平行に形成される水平部とを有することを特徴とする請求項２又は請求項３に記載の光ディスク装置。
【請求項５】
前記ガイド溝は前記ディスクトレイの摺動方向奥側に向かって広がる形状を有する引き込み部を有していることを特徴とする請求項２から請求項４のいずれかに記載の光ディスク装置。
【発明の詳細な説明】
【技術分野】
【０００１】
本発明は、光ディスクに記録された情報を読み出す又は光ディスクに情報を記録する光ディスク装置に関し、さらに詳しくは、光ディスクを載置し挿入排出するディスクトレイの振動を低減することができる光ディスク装置に関するものである。
【背景技術】
【０００２】
近年、映像、音声又は情報の記録媒体として、ＣＤ（Compact Disc）、ＤＶＤ（Digital Versatile Disc）等の光ディスクが多く用いられている。これら光ディスクを記録媒体として用いる光ディスク装置は該光ディスクの記録面に対しレーザ光を照射しデータの記録を行い、及び（又は）前記記録面で反射してきた光を検出することで、データの読出しを行っている。
【０００３】
前記光ディスク装置の多くは、前記光ディスクを載置するディスクトレイを有している。前記光ディスク装置は前記ディスクトレイに光ディスクを載置し、該ディスクトレイを該光ディスク装置の筐体内の所定位置へ摺動することで搬送（ローディング）する。
【０００４】
その後、前記光ディスクを駆動（回転）しつつ、光ヘッドを該光ディスクの径方向に移動させ、該光ヘッドから該光ディスクへレーザ光を照射する又は反射光を受光することで、データの記録又は読出しを行う。
【０００５】
データの記録又は読出しが終了したのち、前記光ディスクを排出（アンローディング）するには、ローディング時と反対側に、前記光ディスク装置の筐体内から該光ディスク装置の外部に摺動することでアンローディングされる。
【０００６】
光ディスク装置の筐体はディスクトレイを含めて、樹脂の一体成形で形成されるものであり、特に大量生産を行う場合、複数の金型を用いて、複数個の同一部品を並行して製造するのが一般的である。複数の金型を正確に同一の形状で形成することや、また、成形圧や溶融樹脂の温度などの成形条件を完全に一致させることは難しく、成形品の全てが必ずしも同一の寸法で成形されるとは限らない。
【０００７】
この大量生産に起因する成形寸法のばらつきにより発生する、前記ディスクトレイと筐体との間の摺動摩擦を減らすため、前記ディスクトレイと前記筐体との間にあそびを持たせて製造している。前記ディスクトレイと前記筐体との間のあそびがある場合、ディスクトレイがローディング及び（又は）アンローディングするときに該ディスクトレイが振動する。
【０００８】
そこで、特開２００３−３３１４９７号公報に記載の発明では、上枠材に設けられたネジガイドホルダに調整ネジを挿入し、前記調整ネジで軌条側端を案内しつつ支持するものが示されている。また、特開２００４−２５９３３６号公報では合成樹脂天板の一側部にスリットを形成し、弾性変位可能な略Ｌ字状押え片を形成し、その押え片でトレイの一側縁の上面と弾性的に接触されることでトレイの傾きを抑制している。
【特許文献１】特開２００３−３３１４９７号公報
【特許文献２】特開２００４−２５９３３６号公報
【発明の開示】
【発明が解決しようとする課題】
【０００９】
しかしながら、特開２００３−３３１４９７号公報に記載の発明では、前記調整ネジ、ネジガイドホルダ等、複数の部材が別途必要であり、それだけ、部品点数が増えると共に、製造工数が増え、それだけ、組み立てコストが高くなる。
【００１０】
また、特開２００４−２５９３３６号公報に記載の発明では、別途部材は必要ではないが、スリットを形成し、Ｌ字状の押え片を形成しなくてはならず、複雑な作業が多くなり、製造、組み立ての手間、時間が必要であり、それだけ、製造コストが高くなる。
【００１１】
さらに、前記ディスクトレイは、アンロードされるときには、該ディスクトレイの側面に形成されたストッパが前記筐体に形成されている接触部材と当接することで停止する。しかしながら、前記前記ディスクトレイは該ディスクトレイの下部に形成されたラックと、該ラックと歯合するピニオンギアの回動によって駆動しており、前記ラックは前記トレイの摺動方向に中心軸とずれて形成されているので、前記ディスクトレイが排出されて停止するときに、該ディスクトレイのディスク載置面に沿う方向に振れる。
【００１２】
特開２００３−３３１４９７号公報、特開２００４−２５９３３６号公報に記載の発明は、ディスクトレイのディスク載置面と直交する方向の倒れ、振動を抑制するものであり、ディスク載置面に沿う方向の振れを抑制するものではない。
【００１３】
そこで本発明は、上記の問題に鑑みてなされたものであり、ディスクトレイを排出したときに該ディスクトレイのディスク載置面と直交する方向の倒れ及びディスク載置面に沿う方向の振れを抑制し、精度良くディスクローディング及びディスクアンローディングを行うことができる光ディスク装置を提供することを目的とする。
【００１４】
そこで本発明は、上記の問題に鑑みてなされたものであり、部材を追加したり、複雑形状に加工したりすることなく、ディスクトレイのディスクローディング及びディスクアンローディングを円滑に行うことができるとともに、製造コストを低減することができる光ディスク装置を提供することを目的とする。
【課題を解決するための手段】
【００１５】
上記目的を達成するため本発明は、光ディスクにレーザ光を照射することで、データの記録、読出を行う光ディスク装置であって、メインシャーシと、前記光ディスクにレーザ光を照射する光ヘッドと、前記光ディスクを回動するディスク回動装置と、前記メインシャーシ内部に摺動可能に支持され前記光ディスクを載置し前進後退させ、光ディスク装置の正面に形成されている開口部より挿入又は排出される方向に摺動し、前記光ディスクをロード又はアンロードするディスクトレイと、前記メインシャーシに回動可能に支持され、前記光ヘッドを摺動可能に支持するとともに、前記ディスク回動装置を保持するトラバースシャーシと、前記メインシャーシに摺動可能に支持されるとともに前記トレイと係合する昇降カムと、前記メインシャーシに形成され、前記光ディスクを前記ディスク回動装置との間に挟着するクランプを支持するクランプ支持部と、動力源である駆動モータと、前記駆動モータの動力を前記トレイ、前記光ヘッド及び前記昇降カムに伝達するための歯車機構とを有しており、前記クランプ支持部には前記ディスクトレイが摺動する間隙が形成されており、前記間隙は間隙の上面に前記ディスクトレイの摺動方向に伸びる２個のガイド溝と、前記間隙の両側面より突出するストッパとを備えており、前記ディスクトレイは、上面の奥側には摺動中心を挟んで配置され、前記ガイド溝の幅よりもわずかに小さな厚みを有し、該ディスクトレイが開口部よりも所定量突出したときに前記ガイド溝と係合する２個のガイドリブと、両側面には該ディスクトレイが開口部より排出され停止するときに前記ストッパと当接する当接部とを備え、前記ガイド溝は前記ディスクトレイの摺動方向奥側に向かって広がる形状を有する引き込み部を有しており、前記ガイドリブは前記開口部側が前記ディスクトレイ上面と所定の角度をなす傾斜部と、前記傾斜部と連続し前記ディスクトレイの上面と平行に形成され、前記ガイド溝の上面と当接する水平部とを有し、前記ディスクトレイの先端部が開口部より一定長さ以上突出し、該ディスクトレイに開口部を中心とする重力によるモーメントがかかる状態で、前記ガイドリブと前記ガイド溝とが係合し、摺動することを特徴とする。
【００１６】
この構成によると、前記ディスクトレイがロード及びアンロードのための摺動を行うときに、前記ガイドリブが前記ガイド溝と係合し、摺動するので前記ディスクトレイ及び（又は）光ディスクの自重にて発生するモーメントにより垂れるのを抑制することができる。
【００１７】
前記ディスクトレイが垂れるのを防ぐことができるので、該ディスクトレイがローディング方向に摺動するときに、該ディスクトレイが揺動するのを防ぐことが可能である。
【００１８】
また、前記ディスクトレイのアンロード時に、該ディスクトレイの当接部が前記メインシャーシの前記間隙に形成された前記ストッパと当接するときに、前記ディスクトレイが水平方向に回転しようとするモーメントを、前記ガイド溝の内側面と前記ガイドリブの側面とが当接することで抗力を発生し、回転するのを抑制することができる。
【００１９】
さらに、前記ガイドリブが開口側の傾斜部と、該傾斜部と一体的に連設される水平部とを有しているので、前記ディスクトレイがアンロードされるときに、該ガイドリブが前記ガイド溝に挿入するときに衝撃を低減することができ、それだけ、円滑にアンロードすることができる。
【００２０】
また、前記ガイド溝には前記ディスクトレイの摺動奥側に向かって大きくなる引き込み部が形成されているので、前記ディスクトレイの摺動時に、前記ガイドリブと前記ガイド溝の中心がずれていても、該ガイドリブを正確に該ガイド溝に引き込むことができ、常に一定の位置にディスクトレイをアンロードすることができる。
【００２１】
また上記目的を達成するために本発明は、光ディスクにレーザ光を照射することで、データの記録、読出を行う光ディスク装置であって、メインシャーシと、前記メインシャーシ内部に摺動可能に支持され前記光ディスクを載置し前進後退させ、光ディスク装置の正面に形成されている開口部より挿入又は排出し、前記光ディスクをロード又はアンロードするディスクトレイと、前記ケースに回動可能に支持され、前記光ディスクにレーザ光を照射する光ヘッドと、前記光ディスクを回動するディスク回動装置とを保持するトラバースシャーシと、前記メインシャーシに形成され、前記光ディスクを前記ディスク回動装置との間に挟着するクランプを支持するクランプ支持部とを有しており、前記クランプ支持部には前記ディスクトレイが摺動する間隙が形成されており、前記間隙は内側上面に前記ガイドリブと係合し該ディスクトレイの摺動方向に伸びる１又は複数個のガイド溝と、前記間隙の内側両側面に形成されたストッパとを備えており、前記ディスクトレイは、上面の奥側には摺動中心を挟んで配置される１又は複数個のガイドリブと、両側面には前記ディスクトレイが排出側で停止するときに前記ストッパと当接する当接部とを備えていることを特徴とする。
【００２２】
この構成によると、前記ディスクトレイがロード及びアンロードのための摺動を行うときに、前記ガイドリブが前記ガイド溝と係合し、摺動するので前記ディスクトレイ及び（又は）光ディスクの自重にて発生するモーメントにより垂れるのを抑制することができる。
【００２３】
前記ディスクトレイが垂れるのを防ぐことができるので、該ディスクトレイがローディング方向に摺動するときに、該ディスクトレイが揺動するのを防ぐことが可能である。
【００２４】
また、前記ディスクトレイのアンロード時に、該ディスクトレイの当接部が前記メインシャーシの前記間隙に形成された前記ストッパと当接するときに、前記ディスクトレイが水平方向に回転しようとするモーメントを、前記ガイド溝の内側面と前記ガイドリブの側面とが当接することで抗力を発生し、回転するのを抑制することができる。
【００２５】
この構成によると、前記ディスクトレイのサイドレールに屈曲部を形成することで、該ディスクトレイがアンロード位置に摺動してきたときに、前記屈曲部が前記メインシャーシの押え部と当接するので、前記ディスクトレイが垂れるのを抑制することができる。
【００２６】
前記ディスクトレイが垂れるのを防ぐことができるので、該ディスクトレイがローディング方向に摺動するときに、該ディスクトレイが揺動するのを防ぐことが可能である。
【００２７】
上記構成において、前記ガイドリブは前記ディスクトレイの先端部が前記開口部より一定量以上排出されているときに前記ガイド溝と係合し、摺動するものであってもよく、前記ガイドリブは前記開口側に前記ディスクトレイの上面に対し所定の角度をなす傾斜面を有する傾斜部と、該ディスクトレイの上面と平行に形成される水平部とを有するものであってもよい。
【発明の効果】
【００２８】
本発明によると、ディスクトレイを排出したときに該ディスクトレイのディスク載置面と直交する方向の倒れ及びディスク載置面に沿う方向の振れを抑制し、精度良くディスクローディング及びディスクアンローディングを行うことができる光ディスク装置を提供することができる。
【００２９】
また本発明によると、部材を追加したり、複雑形状に加工したりすることなく、ディスクトレイのディスクローディング及びディスクアンローディングを円滑に行うことができるとともに、製造コストを低減することができる光ディスク装置を提供することができる。
【発明を実施するための最良の形態】
【００３０】
以下に本発明の実施形態を図面を参照して説明する。図１は本発明にかかる光ディスク装置の概略斜視図である。図１に示すように光ディスク装置Ａはディスクトレイ２が、外装ハウジングＯｈのフロントパネルＦｐに設けられたスリット状の出入り口Ｓｔから、出入りできるように配置されている。
【００３１】
ディスクトレイ２が出入り口Ｓｔより光ディスク装置Ａの外部に排出されている状態で光ディスクを載置し、ディスクトレイ２を挿入することで光ディスクを再生／記録可能な領域に挿入（ローディング）する。また、ディスクトレイ２を光ディスク装置Ａより排出することで光ディスク装置Ａ内部に挿入されている光ディスクを排出（アンローディング）する。
【００３２】
図２は本発明にかかる光ディスク装置の一例のトレイが排出された状態の平面図であり、図３は図２に示す光ディスク装置のトレイが収納された状態の平面図であり、図４は図２に示す光ディスク装置に備えられるディスクトレイの側面図であり、図５は図３に示す光ディスク装置に備えられるディスクトレイの側面図である。
【００３３】
図２及び図３に示す光ディスク装置Ａは、メインシャーシ１と、メインシャーシ１に摺動可能に支持されたディスクトレイ２と、光ディスクにレーザ光を照射し情報の読み取り及び（又は）記録を行う光ヘッド３と、前記光ヘッド３及び光ディスクを回動可能に保持するディスク回動装置が支持されるトラバースシャーシ４と、メインシャーシ１に摺動可能に支持されトラバースシャーシ４と接続する昇降カム５と、ディスクトレイ２及び昇降カム５を駆動するための駆動モータ６と、駆動モータ６の動力をディスクトレイ２及び昇降カム５に伝達するための歯車機構７とを有している。
【００３４】
メインシャーシ１はトラバースシャーシ４が配置される部分のディスクトレイ２を挟んだ反対側に、ディスク回動装置と光ディスクを挟持するためのクランプが配置されるクランプ支持部１１を有している。クランプ支持部１１はディスクトレイ２が摺動するための間隙１１０を有しており、間隙１１０の内側面にはディスクトレイ２の後述のガイドリブ２５と係合するガイド溝１２が形成されている。
【００３５】
ディスクトレイ２には底面に後述する歯車７３と歯合するラック２１と、光ディスクを配置するための円形の段差２２と、中央部には光ヘッド３からのレーザ光を透過させ、ディスク回動装置がクランプ８に近接するための貫通孔２３と、底面に後述の昇降カム５の支持部５１に形成された摺動ボス５３と相対的に摺動可能なガイド２４と、両側面にメインシャーシ１のガイド溝１２と係合しディスクトレイ２の摺動をガイドするガイドリブ２５とが形成されている。
【００３６】
ガイド２４はディスクトレイ２の端部よりディスクトレイ２の摺動方向に延びる直線部２４１と、所定の位置で斜めに屈曲する斜行部２４２と、さらに摺動方向と直交するように屈曲する直交部２４３を有している。
【００３７】
図４、図５に示すようにディスクトレイ２の上面には、ガイドリブ２５が形成されている。ガイドリブ２５はディスクトレイ２の奥側の端部に、それには限定されないが、ここでは、摺動方向に対して直交する方向に並んで形成されている。ガイドリブ２５はフロント側にゆるい傾斜を備えた傾斜部２５１と、リア側にディスクトレイ２の上面と平行に形成された水平部２５２とを有している。
【００３８】
ディスクトレイ２が一定以上排出され、ディスクトレイ２の出入り口Ｓｔより排出された部分の重量が内部に残った部分の重量よりも重くなると、出入り口Ｓｔ側端部を中心に、ディスクトレイ２が垂れる方向にモーメントがかかる。
【００３９】
図６は図２に示す光ディスク装置のガイドリブ及びガイド溝の拡大断面図である。ガイドリブ２５及びガイド溝１２は図６に示すようにガイドリブ２５がガイド溝１２と係合するように形成されている。ディスクトレイ２をアンローディング方向に移動するとき、ディスクトレイ２が出入り口Ｓｔ周りに垂れる方向にモーメントがかかる位置に到達すると、ディスクトレイ２の上面に形成されたガイドリブ２５がガイド溝１２と係合する。これにより、ガイドリブ２５の水平部２５２がガイド溝１２の底部１２１（クランプ支持部１１の底面側）と当接し、重量によるモーメントに対する抗力を発生した状態で停止或いは摺動する。これにより、ディスクトレイ２がディスク排出位置にあるときに垂れるのを防ぐことができる。
【００４０】
またディスクトレイ２がローディング方向に摺動するとき、ディスクトレイ２がディスクトレイ２に対し先端部２０が垂れる方向に回転するモーメントが働かなくなる位置にくると、ガイドリブ２５とガイド溝１２とが離反する。
【００４１】
ディスクトレイ２がメインシャーシ１に挿入されるときに、ディスクトレイ２のガイドリブ２５がメインシャーシ１のガイド溝１２に押えられているので、ディスクトレイ２が摺動するときに、ディスクトレイ２の先端部２０が垂れようとするのを防ぐことができ、さらに、ディスクトレイ２を挿入するときに先端部２０が振動（揺動）するのを抑制することができる。
【００４２】
図２、図３に示すように、メインシャーシ１の間隙１１０の内面のディスクトレイ２の側面と面する部分には、ストッパ１３が備えられている。またディスクトレイ２の側面にはストッパ１３と当接するための当接部２６が形成されている。ディスクトレイ２はアンロード方向に摺動し、出入り口Ｓｔより最も突出したときに、ディスクトレイ２の当接部２６はストッパ１３と当接し、ディスクトレイ２は停止する。このとき、駆動モータ６の負荷が変化し、その変化を検出した時点で駆動モータ６が停止し、アンロード完了する。
【００４３】
このとき、ディスクトレイ２のラック２１がディスクトレイ２の摺動方向の中心とずれて配置されており、間隙１１０の両側に形成されたストッパ１３及びディスクトレイ２の両側面に形成された当接部２６の位置は互いに遊びができるように形成されているので、ラック２１が形成されている側のストッパ１３及び当接部２６が当接すると、先端部２０がストッパ１３と当接部２６との当接部を中心にラック２１が配置されている方向に回るモーメントが作用する。このとき、ディスクトレイ２のガイドリブ２５とが係合しているので、ガイド溝１２の側部がガイドリブ２５を押え、ラック２１側に回ろうとするモーメントに対して抗力を発生し、回転するのを防止する。
【００４４】
光ヘッド３はベース３１と、ベース３１に固定されるアクトベース３２とを有している。ベース３１にはレーザ光を出射するレーザ光源（図示省略）と、レーザ光を平行光にするコリメータレンズ（図示省略）を備えている。アクトベース３２には光ディスクの記録面にレーザ光を集光する対物レンズ３３が取り付けられている。ベース３１はトラバースシャーシ４に摺動可能に支持されており、ベース３１は光ディスクからのデータの読出しを行うときは光ディスクの半径方向に摺動する。
【００４５】
トラバースシャーシ４はメインシャーシ１と回動可能に係合する係合凸部４１と、光ヘッド３の摺動を邪魔しないための貫通孔４２と、光ヘッド支持部４３と、昇降カム５の後述するクランク部５２と係合する昇降ボス４４とを有している。
【００４６】
昇降カム５はメインシャーシ１に摺動支持される支持部５１と、トラバースシャーシ４の昇降ボス４４と係合するクランク部５２と、支持部５１のメインシャーシ１と反対側に形成され、ディスクトレイ２のガイド２４と係合する摺動ボス５３とを有している、昇降カム５の支持部５１の端部はラック５１１が形成されている。昇降カム５のクランク部５２は、上端部５２１と、下端部５２２と、傾斜部５２３とを有しており、上端部５２１と下端部５２２とは傾斜部５２３を介して連結されている。
【００４７】
駆動モータ６の回転軸にはウォームギア６１が取り付けられており、歯車７１と歯合しており、駆動モータ６の動力を歯車機構７に伝達する。歯車機構７は歯車７０、７１、７２、７３を有しており、歯車７０、７１、７２、７３は互いに歯合するようにメインシャーシ１に回動可能に支持されている。駆動モータ６が回動すると、ウォームギア６１を介して動力が伝達され、歯車７０、７１、７２、７３はそれぞれ所定の方向に回動する。
【００４８】
ディスク回動装置はクランプ８と圧接することで光ディスクを挟持するターンテーブルとターンテーブルを回動するための軸動モータ（不図示）とを備えている。
【００４９】
図７は図６に示すガイド溝の一例の拡大図を示す。図７に示すガイド溝１２はクランプ支持部１１を間隙１１０側から見た図である。ガイド溝１２はディスクトレイ２の上面に形成されたガイドリブ２５の厚さｔに対してわずかに大きな幅Ｔを備えている。ガイド溝１２はディスクトレイ２の摺動方向に伸びるように形成されている。ディスクトレイ２が摺動するとき、ガイド溝１２とガイドリブ２５の接触を抑制し、摩擦による損失を低減することができる。また、ガイドリブ２５の位置とガイド溝１２の位置がわずかにずれている場合でも、ガイドリブ２５がガイド溝１２に挿入されるので、ディスクトレイ２を精度良く摺動させることができる。
【００５０】
ディスクトレイ２が所定位置までアンロードされた状態で、ディスクトレイ２のガイドリブ２５がガイド溝１２と係合する。ディスクトレイ２はフロント側の先端部２０が垂れる方向に移動しようとする。すなわち、わずかに傾いた状態で、ガイドリブ２５がガイド溝１２に挿入される。このとき、ガイド溝１２とガイドリブ２５の傾斜部２５１とが最初に接触し、傾斜部２５１の傾斜にあわせて接触しつつ摺動するので、ガイドリブ２５がガイド溝１２に挿入されるときの衝撃を抑制することができる。
【００５１】
図８は図２に示す光ディスク装置に備えられるガイド溝の他の例の拡大図である。図８に示すように、ガイド溝１２のメインシャーシ１内部側にテーパ状の引き込み部１２０が形成されている。それ以外は図８に示すガイド溝１２と同様の構造を有している。
【００５２】
ガイド溝１２はメインシャーシ１のクランプ支持部１１に形成されているので、ディスクトレイ２がローディングされた状態のとき、ガイド溝１２とガイドリブ２５は離反している。アンローディングするときに、ディスクトレイ２が所定の位置に到達したときに、ガイドリブ２５がガイド溝１２に挿入される。ガイド溝１２の引き込み部１２０はテーパ形状に形成されているので、ガイドリブ２５の中心と、ガイド溝１２の中心がある程度ずれていても、ガイドリブ２５が引き込み部１２０のテーパ状に形成されている部分と接触摺動して、正確な位置に導かれる。
【００５３】
上記実施例において、ガイド溝１２及びガイドリブ２５がそれぞれ２個ずつ形成されているものを例に説明しているが、それに限定されるものではなく、ディスクトレイ２のアンロード時の回転を抑制することができるものを広く採用することができる。
【産業上の利用可能性】
【００５４】
本発明は、ＤＶＤ、ＣＤ等の光ディスクを記録媒体とする光ディスク装置において適用することができる。
【図面の簡単な説明】
【００５５】
【図１】本発明にかかる光ディスク装置の概略斜視図である。
【図２】本発明にかかる光ディスク装置の一例のトレイが排出された状態の平面図である。
【図３】図２に示す光ディスク装置のトレイが収納された状態の平面図である。
【図４】図２に示す光ディスク装置に備えられるディスクトレイの側面図である。
【図５】図３に示す光ディスク装置に備えられるディスクトレイの側面図である。
【図６】図２に示す光ディスク装置のガイドリブ及びガイド溝の拡大断面図である。
【図７】図６に示すガイド溝の一例の拡大図を示す。
【図８】図２に示す光ディスク装置に備えられるガイド溝の他の例の拡大図である。
【符号の説明】
【００５６】
Ａ  光ディスク装置
Ｓｔ  出入り口
Ｏｈ  外部ハウジング
Ｆｐ  前面パネル
１  メインシャーシ
１１  クランプ支持部
１２  ガイド溝
１２０  引き込み部
１２１  底部
２  ディスクトレイ
２１  ラック
２２  段差
２３  貫通孔
２４  ガイド
２５  ガイドリブ
２５１  傾斜部
２５２  水平部
３  光ヘッド
３１  べース
３２  アクトベース
３３  対物レンズ
４  トラバースシャーシ
４１  係合凸部
４２  貫通孔
４３  光ヘッド支持部
４４  昇降ボス
５  昇降カム
５１  支持部
５１１  ラック
５２  クランク部
５３  摺動ボス
６  モータ
６１  ウォームギア
７  歯車機構
８  クランプ
【図１】
2007141358.tif 000003
【図２】
2007141358.tif 000004
【図３】
2007141358.tif 000005
【図４】
2007141358.tif 000006
【図５】
2007141358.tif 000007
【図６】
2007141358.tif 000008
【図７】
2007141358.tif 000009
【図８】
2007141358.tif 000010